【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
ポリアミンまたはポリアルキレンイミンと式（Ｉ）の置換アルキルトリアルキル四級アンモニウム塩との反応から誘導される反応生成物を含む、カチオン性ポリマー塩であって、
【化１】
2020502331.tif 000001
式中、
各Ｘ−が、独立して、アニオンであり、
Ｒ１が、ヒドロキシルまたは−ＯＲ５およびＸ−末端基で置換されたＣ１〜Ｃ６アルキレンであり、
Ｒ２、Ｒ３、およびＲ４が、各々独立して、Ｃ１〜Ｃ２２アルキルまたはＣ７〜Ｃ２２アリールアルキルであり、
Ｒ５が、Ｃ１〜Ｃ６アルキルであり、
以下、
（Ａ）カチオン性ポリマー塩が、その主鎖内に置換を有さず、その主鎖内にアルキル四級化アンモニウムを有さず、少なくとも４つの四級アンモニウム基を含む、または
（Ｂ）カチオン性ポリマー塩が、式（ＩＶ）を有する１つ以上の末端三級アミン基を有し、
【化２】
2020502331.tif 000002
式中、Ｒ１１が、Ｘ−末端基を有しないＲ１であり、前記ポリマー塩が、その主鎖内に置換を有しないか、Ｒ２、Ｒ３、およびＲ４のうちの少なくとも１つが、Ｃ９〜Ｃ２２アルキル基であるかのいずれかである、または
（Ｃ）Ｒ２およびＲ３が、Ｃ６〜Ｃ２２アルキルもしくはＣ７〜Ｃ２２アリールアルキルであり、Ｒ４が、メチルである、うちのいずれかである、カチオン性ポリマー塩。
【請求項２】
Ｘ−が、塩化物、臭化物、フッ化物、ヨウ化物、酢酸塩、アルミン酸塩、シアン酸塩、シアン化物、リン酸二水素塩、亜リン酸二水素塩、ギ酸塩、炭酸水素塩、シュウ酸水素塩、硫酸水素塩、水酸化物、メタニオブ酸塩、メタバナジン酸塩、硝酸塩、亜硝酸塩、チオシアネート、およびそれらの任意の組み合わせからなる群から選択される、請求項１に記載のポリマー塩。
【請求項３】
Ｘ−が、塩化物または臭化物である、請求項２に記載のポリマー塩。
【請求項４】
Ｒ１が、ヒドロキシルで置換されたＣ２〜Ｃ３アルキレンである、請求項１〜３のいずれか一項に記載のポリマー塩。
【請求項５】
Ｒ２、Ｒ３、およびＲ４が、独立して、Ｃ１〜Ｃ２２アルキルである、請求項１〜４のいずれか一項に記載のポリマー塩。
【請求項６】
Ｒ２が、Ｃ６〜Ｃ２２アルキルまたはＣ７〜Ｃ２２アリールアルキルであり、Ｒ３およびＲ４が、メチルである、請求項１〜４のいずれか一項に記載のポリマー塩。
【請求項７】
Ｒ２およびＲ３が、Ｃ６〜Ｃ２２アルキルまたはＣ７〜Ｃ２２アリールアルキルであり、Ｒ４が、メチルである、請求項１〜４のいずれか一項記載のポリマー塩。
【請求項８】
Ｒ２、Ｒ３、およびＲ４が、メチルである、請求項５に記載のポリマー塩。
【請求項９】
前記置換アルキルトリアルキル四級アンモニウム塩が、３−クロロ−２−ヒドロキシプロピル−トリメチルアンモニウムクロリド、３−クロロ−２−ヒドロキシプロピル−ドデシル−ジメチルアンモニウムクロリド、３−クロロ−２−ヒドロキシプロピル−ステアリル−ジメチルアンモニウムクロリド、またはそれらの任意の組み合わせを含む、請求項１に記載のポリマー塩。
【請求項１０】
前記ポリアミンが、式（ＩＩ）を有し、
【化３】
2020502331.tif 000003
式中、
ｎが、０〜１００の整数であり、
各Ｒ６が、独立して、Ｃ２〜Ｃ６アルキレンであり、
各Ｒ７が、独立して、水素または−Ｒ６−ＮＨ２、−Ｒ６−ＮＨ−Ｒ６−ＮＨ２、または−Ｒ６−Ｎ−（Ｒ６−ＮＨ２）２である、請求項１〜９のいずれか一項に記載のポリマー塩。
【請求項１１】
ｎが、１〜５０、１〜１０、１〜５、０〜５０、０〜１０、および０〜５からなる群から選択される、請求項１０に記載のポリマー塩。
【請求項１２】
Ｒ６が、Ｃ２〜Ｃ３アルキルである、請求項１０または１１に記載のポリマー塩。
【請求項１３】
Ｒ６が、エチルである、請求項１２に記載のポリマー塩。
【請求項１４】
（Ａ）前記カチオン性ポリマー塩が、その主鎖内に置換を有さず、その主鎖内にアルキル四級化アンモニウムを有さず、少なくとも４つの四級アンモニウム基を含む、請求項１〜１３のいずれか一項に記載のポリマー塩。
【請求項１５】
（Ｂ）前記カチオン性ポリマー塩が、式（ＩＶ）を有する１つ以上の末端三級アミン基を有し、
【化４】
2020502331.tif 000004
式中、Ｒ１１が、Ｘ−末端基を有しないＲ１であり、前記ポリマー塩が、その主鎖内に置換を有しないか、もしくはＲ２、Ｒ３、およびＲ４のうちの少なくとも１つが、Ｃ９〜Ｃ２２アルキル基であるかのいずれかである、請求項１〜１３のいずれか一項に記載のポリマー塩。
【請求項１６】
（Ｃ）Ｒ２およびＲ３が、Ｃ６〜Ｃ２２アルキルまたはＣ７〜Ｃ２２アリールアルキルであり、Ｒ４が、メチルである、請求項１〜１３のいずれか一項記載のポリマー塩。
【請求項１７】
前記ポリアミンが、アルキレンアミンを含み、前記アルキレンアミンが、エチレンジアミン、ジエチレントリアミン、トリエチレンテトラミン、ジエチレントリアミン、トリエチレンテトラミン、テトラエチレンペンタミン、ペンタエチレンヘキサミン、ヘキサエチレンヘプタミン、またはそれらの組み合わせを含む、請求項１〜１０のいずれか一項に記載のポリマー塩。
【請求項１８】
前記ポリアルキレンイミンが、エチレンイミン；プロピレンイミン；ブチレンイミン；ペンチレンイミン；ヘキシレンイミン；ヘプチレンイミン；分岐鎖、直鎖、もしくはデンドリマーポリエチレンイミン；またはそれらの任意の組み合わせを含む、請求項１〜１０のいずれか一項に記載のポリマー塩。
【請求項１９】
前記ポリアミンまたはポリアルキレンイミンと前記置換アルキルトリアルキル四級アンモニウム塩とのモル比が、１：１〜１：１００、１：１〜１：５０、１：１〜２５、１：１〜１：１０、１：１〜１：５、または１：１〜１：２の範囲である、請求項１〜１８のいずれか一項に記載のポリマー塩。
【請求項２０】
式（ＩＩＩ）を有するカチオン性ポリマー塩であって、
【化５】
2020502331.tif 000005
式中、
各Ｒ６が、独立して、Ｃ２〜Ｃ６アルキレンであり、
各Ｒ７が、独立して、−Ｒ８、−Ｒ６−Ｎ（Ｒ８）２、−Ｒ６−Ｎ（Ｒ８）−Ｒ６−Ｎ（Ｒ８）２、または−Ｒ６−Ｎ−（Ｒ６−Ｎ（Ｒ８）２）２であり、
各Ｒ８が、
【化６】
2020502331.tif 000006
であり、
各Ｒ９が、独立して、ヒドロキシルまたは−ＯＲ１３で置換されたＣ２〜Ｃ６アルキレンであり、
Ｒ１０、Ｒ１１、およびＲ１２が、各々独立して、Ｃ１〜Ｃ２２アルキルまたはＣ７〜Ｃ２２アリールアルキルであり、
Ｒ１３が、Ｃ１〜Ｃ６アルキルであり、
ｎが、１〜１００の整数であり、
各Ｘ−が、独立して、アニオンである、カチオン性ポリマー塩。
【請求項２１】
ｎが、１〜５０または１〜２５である、請求項２０に記載のポリマー塩。
【請求項２２】
各Ｒ６およびＲ９が、独立して、Ｃ２〜Ｃ３アルキレンである、請求項２０または２１に記載のポリマー塩。
【請求項２３】
各Ｒ６が、エチレンである、請求項２２に記載のポリマー塩。
【請求項２４】
各Ｒ９が、ヒドロキシプロピレンであり、Ｒ１０およびＲ１１が、メチルであり、各Ｒ１２が、独立して、メチルまたはＣ８〜Ｃ２２アルキルである、請求項２０〜２３のいずれか一項に記載のポリマー塩。
【請求項２５】
少なくとも１つのＲ１２が、Ｃ８〜Ｃ２２アルキルである、請求項２４に記載のポリマー塩。
【請求項２６】
前記ポリマー塩が、化合物１〜１３のうちのいずれか１つである、請求項２０に記載のポリマー塩。
【化７】
2020502331.tif 000007
2020502331.tif 000008
2020502331.tif 000009
2020502331.tif 000010
2020502331.tif 000011
【請求項２７】
請求項１〜２６のいずれか一項に記載のカチオン性ポリマー塩および担体を含む、組成物。
【請求項２８】
前記担体が、水、アルコール、芳香族炭化水素、アルキレングリコール、アルキレングリコールアルキルエーテル、またはそれらの組み合わせを含む、請求項２７に記載の組成物。
【請求項２９】
前記担体が、メタノール、エタノール、プロパノール、イソプロパノール、ブタノール、イソブタノール、モノエチレングリコール、エチレングリコールモノブチルエーテル、ヘキシレングリコール、またはそれらの組み合わせを含む、請求項２７に記載の組成物。
【請求項３０】
請求項１〜２６のいずれか一項に記載のカチオン性ポリマー塩および水性担体を含む、界面活性剤組成物。
【請求項３１】
前記組成物が、表面での腐食を抑制するための成分をさらに含み、前記成分が、有機溶媒、追加の腐食抑制剤、アスファルテン抑制剤、パラフィン抑制剤、スケール抑制剤、乳化剤、水浄化剤、分散剤、エマルジョン破壊剤、ガスハイドレート抑制剤、殺生物剤、ｐＨ調整剤、界面活性剤、またはそれらの任意の組み合わせを含む、請求項２７に記載の組成物。
【請求項３２】
前記成分が、有機溶媒を含み、前記有機溶媒が、アルコール、炭化水素、ケトン、エーテル、アルキレングリコール、グリコールエーテル、アミド、ニトリル、スルホキシド、エステル、またはそれらの任意の組み合わせを含み、前記組成物が、任意選択に水を含む、請求項３１に記載の組成物。
【請求項３３】
前記成分が、有機溶媒を含み、前記有機溶媒が、メタノール、エタノール、プロパノール、イソプロパノール、ブタノール、２−エチルヘキサノール、ヘキサノール、オクタノール、デカノール、２−ブトキシエタノール、メチレングリコール、エチレングリコール、１，２−プロピレングリコール、１，３−プロピレングリコール、ジエチレングリコールモノメチルエーテル、ジエチレングリコールモノエチルエーテル、エチレングリコールモノブチルエーテル、エチレングリコールジブチルエーテル、ペンタン、ヘキサン、シクロヘキサン、メチルシクロヘキサン、ヘプタン、デカン、ドデカン、ディーゼル、トルエン、キシレン、重芳香族ナフサ、シクロヘキサノン、ジイソブチルケトン、ジエチルエーテル、プロピレンカーボネート、Ｎ−メチルピロリジノン、Ｎ，Ｎ−ジメチルホルムアミド、またはそれらの任意の組み合わせを含む、請求項３１に記載の組成物。
【請求項３４】
前記成分が、追加の腐食抑制剤を含み、前記追加の腐食抑制剤が、イミダゾリン化合物、ピリジニウム化合物、またはそれらの組み合わせを含む、請求項３１〜３３のいずれか一項に記載の組成物。
【請求項３５】
約０．１〜約２０重量％の前記カチオン性ポリマー塩を含む、請求項３１〜３４のいずれか一項に記載の組成物。
【請求項３６】
表面上の腐食を抑制する方法であって、前記方法が、
前記表面上の腐食を抑制するために、前記表面を、請求項１〜２６のいずれか一項に記載のカチオン性ポリマー塩または請求項２７および３１〜３５のうちのいずれか一項に記載の組成物と接触させること、または
前記表面上の腐食を抑制するために、請求項１〜２６のいずれか一項に記載のカチオン性ポリマー塩または請求項２７および３１〜３５のいずれか一項に記載の組成物を、前記表面に接触する流体に添加することと、を含む、方法。
【請求項３７】
表面上の腐食を抑制する方法であって、
前記表面上の腐食を抑制するために、前記表面を、カチオン性ポリマー塩もしくは前記カチオン性ポリマー塩を含む組成物、および有機溶媒、腐食抑制剤、有機硫黄化合物、アスファルテン抑制剤、パラフィン抑制剤、スケール抑制剤、乳化剤、水浄化剤、分散剤、エマルジョン破壊剤、ガスハイドレート抑制剤、殺生物剤、ｐＨ調整剤、界面活性剤、またはそれらの組み合わせを含む成分と接触させること、または
前記表面上の腐食を抑制するために、前記カチオン性ポリマー塩または前記組成物を、前記表面に接触する流体に添加することを含み、
（ｉ）前記カチオン性ポリマー塩が、ポリアミン、アルキレンイミン、またはポリアルキレンイミンと式（Ｉ）の置換アルキルトリアルキル四級アンモニウム塩との反応から誘導される反応生成物を含み、
【化８】
2020502331.tif 000012
式中、
各Ｘ−が、独立して、アニオンであり、
Ｒ１が、ヒドロキシルもしくは−ＯＲ５およびＸ−末端基で置換されたＣ１〜Ｃ６アルキレンであり、
Ｒ２、Ｒ３、およびＲ４が、各々独立して、Ｃ１〜Ｃ２２アルキルもしくはＣ７〜Ｃ２２アリールアルキルであり、
Ｒ５が、Ｃ１〜Ｃ６アルキルであり、
前記ポリアミンが、式（ＩＩ）を有し、
【化９】
2020502331.tif 000013
式中、
ｎが、０〜１００の整数であり、
各Ｒ６が、独立して、Ｃ２〜Ｃ６アルキレンであり、
各Ｒ７が、独立して、水素または−Ｒ６−ＮＨ２、−Ｒ６−ＮＨ−Ｒ６−ＮＨ２、もしくは−Ｒ６−Ｎ−（Ｒ６−ＮＨ２）２であるか、または
（ｉｉ）前記カチオン性ポリマー塩が、式（ＩＩＩ）を有し、
【化１０】
2020502331.tif 000014
式中、
各Ｒ６が、独立して、Ｃ２〜Ｃ６アルキレンであり、
各Ｒ７が、独立して、水素、−Ｒ８、−Ｒ６−Ｎ（Ｒ８）２、−Ｒ６−Ｎ（Ｒ８）−Ｒ６−Ｎ（Ｒ８）２、または−Ｒ６−Ｎ−（Ｒ６−Ｎ（Ｒ８）２）２であり、
各Ｒ８が、独立して、水素または
【化１１】
2020502331.tif 000015
であり、
各Ｒ９が、独立して、ヒドロキシルまたは−ＯＲ１３で置換されたＣ２〜Ｃ６アルキレンであり、
Ｒ１０、Ｒ１１、およびＲ１２が、各々独立して、Ｃ１〜Ｃ２２アルキルまたはＣ７〜Ｃ２２アリールアルキルであり、
各Ｒ１３が、独立して、Ｃ１〜Ｃ６アルキルである、方法。
【請求項３８】
前記表面が、前記流体の生成、輸送、貯蔵、および／または分離に使用される坑井または装置の一部である、請求項３６または３７に記載の方法。
【請求項３９】
前記表面が、石炭燃焼プロセス、廃水プロセス、農場、食肉処理場、埋め立て地、自治体廃水プラント、コーキング石炭プロセス、またはバイオ燃料プロセスに使用される装置の一部である、請求項３６または３７に記載の方法。
【請求項４０】
前記装置が、パイプライン、貯蔵容器、ダウンホール注入管、フローライン、または注入ラインを含む、請求項３８または３９に記載の方法。
【請求項４１】
前記流体が、天然ガスまたは液体炭化水素を含む、請求項３７〜４０のいずれか一項に記載の方法。
【請求項４２】
前記液体炭化水素が、原油、重油、加工残油、瀝青油、コッカー油、軽油、流動接触分解供給原料またはスラリー、ナフサ、ディーゼル燃料、重油、ジェット燃料、ガソリン、または灯油を含む、請求項４１に記載の方法。
【請求項４３】
プロセス水中の微生物を制御する方法であって、
組成物を前記プロセス水に添加することであって、前記組成物が、式（ＩＩＩ）のカチオン性ポリマーを含み、
【化１２】
2020502331.tif 000016
式中、
各Ｒ６が、独立して、Ｃ２〜Ｃ６アルキレンであり、
各Ｒ７が、独立して、水素、−Ｒ８、−Ｒ６−Ｎ（Ｒ８）２、−Ｒ６−Ｎ（Ｒ８）−Ｒ６−Ｎ（Ｒ８）２、または−Ｒ６−Ｎ−（Ｒ６−Ｎ（Ｒ８）２）２であり、
各Ｒ８が、独立して、水素または
【化１３】
2020502331.tif 000017
であり、
各Ｒ９が、独立して、ヒドロキシルまたは−ＯＲ１３で置換されたＣ２〜Ｃ６アルキレンであり、
Ｒ１０、Ｒ１１、およびＲ１２が、各々独立して、Ｃ１〜Ｃ２２アルキルまたはＣ７〜Ｃ２２アリールアルキルであり、
Ｒ１３が、Ｃ１〜Ｃ６アルキルであり、
ｎが、１〜１００の整数であり、
各Ｘ−が、独立して、アニオンである、方法。
【請求項４４】
表面上の微生物を制御する方法であって、
請求項１〜２６のいずれか一項に記載のカチオン性ポリマー塩を、前記表面に添加することを含む、方法。
【請求項４５】
Ｒ６が、Ｃ２アルキレンであり、Ｒ７が、独立して、−Ｒ８、−Ｒ６−Ｎ（Ｒ８）２、−Ｒ６−Ｎ（Ｒ８）−Ｒ６−Ｎ（Ｒ８）２、または−Ｒ６−Ｎ−（Ｒ６−Ｎ（Ｒ８）２）２であり、Ｒ８が、
【化１４】
2020502331.tif 000018
である、請求項４３または４４に記載の方法。
【請求項４６】
前記組成物が、冷却水システム、ボイラー水システム、石油井戸、ダウンホール層、地熱井、鉱物洗浄、浮遊および選鉱、製紙、ガススクラバー、エアウォッシャー、冶金産業における連続鋳造プロセス、空調および冷蔵、水再生、浄水、膜濾過、食品加工、浄化剤、都市下水処理、都市水処理、ならびに飲用水道システムからなる群から選択される工業プロセスで使用される前記プロセス水に添加される、請求項４３〜４５のいずれか一項に記載の方法。
【請求項４７】
前記プロセス水中の胞子または好熱菌を、
前記組成物と接触させることをさらに含む、請求項４３および４５〜４６のいずれか一項に記載の方法。
【請求項４８】
前記プロセス水中の細菌を、
前記組成物と接触させることをさらに含む、請求項４３および４５〜４７のいずれか一項に記載の方法。
【請求項４９】
前記カチオン性ポリマーが、
【化１５】
2020502331.tif 000019
2020502331.tif 000020
およびそれらの任意の組み合わせからなる群から選択される、請求項４３〜４８のいずれか一項に記載の方法。
【請求項５０】
前記カチオン性ポリマーが、約１ｐｐｍ〜約１０００ｐｐｍの範囲の量の前記プロセス水に添加される、請求項４３および４５〜４９のいずれか一項に記載の方法。
【請求項５１】
前記組成物が、塩素、次亜塩素酸塩、ＣｌＯ２、臭素、オゾン、過酸化水素、過酢酸、ペルオキシ硫酸塩、グルタルアルデヒド、ジブロモニトロトリプロピオンアミド、イソチアゾロン、テルブチラジン、ポリマービグアニド、メチレンビスチオシアネート、テトラキスヒドロキシメチルホスホニウムスルフェート、およびそれらの任意の組み合わせからなる群から選択される殺生物剤をさらに含む、請求項４３〜５０のいずれか一項に記載の方法。
【請求項５２】
前記組成物が、担体を含む、請求項４３〜５１のいずれか一項に記載の方法。
【請求項５３】
前記担体が、水、アルコール、芳香族炭化水素、アルキレングリコール、アルキレングリコールアルキルエーテル、またはそれらの組み合わせを含む、請求項５２に記載の方法。
【請求項５４】
請求項１〜２６のいずれか一項に記載のポリマー塩を前記水系システムに添加することを含む、水系システム中の微生物を制御する方法。
【請求項５５】
水系システム中の微生物を制御するための方法であって、ポリアミンまたはポリアルキレンイミンと式（Ｉ）の置換アルキルトリアルキル四級アンモニウム塩との反応から誘導される反応生成物を前記水系システムに添加することを含み、
【化１６】
2020502331.tif 000021
式中、
各Ｘ−が、独立して、アニオンであり、
Ｒ１が、ヒドロキシルまたは−ＯＲ５およびＸ−末端基で置換されたＣ１〜Ｃ６アルキレンであり、
Ｒ２、Ｒ３、およびＲ４が、各々独立して、Ｃ１〜Ｃ２２アルキルまたはＣ７〜Ｃ２２アリールアルキルであり、
Ｒ５が、Ｃ１〜Ｃ６アルキルである、方法。